(57)【要約】【課題】第１の撮像手段と第２の撮像手段を備えた撮像装置において、大型化することなく、撮像手段の温度上昇を抑制し、画像劣化を極力抑えて撮影可能な撮像装置を提供すること。【解決手段】撮像光学系により結像される被写体像を受け、電気的な画像信号に光電変換する撮像素子を有する第１の撮像手段（４）と、撮像光学系により結像される被写体像を受け、電気的な画像信号に光電変換する撮像素子を有する第２の撮像手段（５）と、画像データや各種情報を表示可能であり、前記第２の撮像手段（５）よりも前記第１の撮像手段（４）に近接した位置に配される第１の表示装置（１３）と、撮影動作の開始を指示する静止画撮影指示手段（７１）と、を備え、前記静止画撮影指示手段（７１）により撮影動作が指示されると、前記第２の撮像手段（５）を用いて静止画の撮影を行い、前記第１の表示装置（１３）に前記第２の撮像手段（５）から取得したスルー画像を表示することを特徴とする。【選択図】図４
2019041236.tif 000002
【特許請求の範囲】
【請求項１】
撮像光学系により結像される被写体像を受け、電気的な画像信号に光電変換する撮像素子を有する第１の撮像手段（４）と、
撮像光学系により結像される被写体像を受け、電気的な画像信号に光電変換する撮像素子を有する第２の撮像手段（５）と、
画像データや各種情報を表示可能であり、前記第２の撮像手段（５）よりも前記第１の撮像手段（４）に近接した位置に配される第１の表示装置（１３）と、
撮影動作の開始を指示する静止画撮影指示手段（７１）と、
を備え、
前記静止画撮影指示手段（７１）により撮影動作が指示されると、前記第２の撮像手段（５）を用いて静止画の撮影を行い、前記第１の表示装置（１３）に前記第２の撮像手段（５）から取得したスルー画像を表示することを特徴とする撮像装置。
【請求項２】
画像データや各種情報を表示可能であり、前記第１の撮像手段（４）よりも前記第２の撮像手段（５）に近接した位置に配される第２の表示装置（５０）と、
撮影者が前記第１の表示装置（１３）または前記第２の表示装置（５０）のどちらを使用しているかを判定するための表示装置判定部（１４）と、
をさらに備え、
前記静止画撮影指示手段（７１）により静止画撮影動作が指示されると、
前記表示装置判定部（１４）により前記第１の表示装置（１３）が使用されていると判定された場合には、前記第２の撮像手段（５）を用いて静止画の撮影を行い、前記第１の表示装置（１３）に前記第１の撮像手段（４）から取得したスルー画像を表示し、
前記表示装置判定部（１４）により前記第２の表示装置（５０）が使用されていると判定された場合には、前記第１の撮像手段（４）を用いて静止画の撮影を行い、前記第２の表示装置（５０）に前記第２の撮像手段（５）から取得したスルー画像を表示することを特徴とする請求項１に記載の撮像装置。
【請求項３】
撮像光学系により結像される被写体像を受け、電気的な画像信号に光電変換する撮像素子を有する第１の撮像手段（４）と、
撮像光学系により結像される被写体像を受け、電気的な画像信号に光電変換する撮像素子を有する第２の撮像手段（５）と、
画像データや各種情報を表示可能であり、前記第２の撮像手段（５）よりも前記第１の撮像手段（４）に近接した位置に配される第１の表示装置（１３）と、
撮影動作の開始を指示する動画撮影指示手段（７２）と、
を備え、
前記動画撮影指示手段（７２）により撮影動作が指示されると、前記第２の撮像手段（５）を用いて動画の撮影を行い、前記第１の表示装置（１３）に前記第２の撮像手段（５）から取得したスルー画像を表示することを特徴とする撮像装置。
【請求項４】
画像データや各種情報を表示可能であり、前記第１の撮像手段（４）よりも前記第２の撮像手段（５）に近接した位置に配される第２の表示装置（５０）と、
撮影者が前記第１の表示装置（１３）または前記第２の表示装置（５０）のどちらを使用しているかを判定するための表示装置判定部（１４）と、
をさらに備え、
前記動画撮影指示手段（７２）により動画撮影動作が指示されると、
前記表示装置判定部（１４）により前記第１の表示装置（１３）が使用されていると判定された場合には、前記第２の撮像手段（５）を用いて動画の撮影を行い、前記第１の表示装置（１３）に前記第１の撮像手段（４）から取得したスルー画像を表示し、
前記表示装置判定部（１４）により前記第２の表示装置（５０）  が使用されていると判定された場合には、前記第１の撮像手段（４）を用いて動画の撮影を行い、前記第２の表示装置（５０）に前記第２の撮像手段（５）から取得したスルー画像を表示することを特徴とする請求項１に記載の撮像装置。
【請求項５】
ファインダー内に前記第２の表示装置（５０）が配され、
撮影者が前記ファインダーに接眼したことを検出する機能を持つ接眼検出部（５２）をさらに備え、
前記表示装置判定部（１４）は、前記接眼検出部（５２）の検出に基づいて判定を行うことを特徴とする請求項２又は請求項４に記載の撮像装置。
【請求項６】
ヒンジ部（４３）により機器本体に対し回動可能となるユニット内に前記第１の表示装置（１３）が配され、
前記回動可能ユニットの回動状態を検出する機能を持つ回動検出部をさらに備え、
前記表示装置判定部（１４）は、前記回動検出部の検出に基づいて判定を行うことを特徴とする請求項２又は請求項４に記載の撮像装置。
【発明の詳細な説明】
【技術分野】
【０００１】
本発明は、静止画及び動画を撮影可能な撮像装置に関する。
【背景技術】
【０００２】
被写体像を電気信号に変換して撮影するデジタルカメラ等の撮像装置では、光束を撮像素子で受光し、その撮像素子から出力される光電変換信号を画像データに変換して、メモリカード等の記録媒体に記録する。撮像素子としては、ＣＣＤ（Ｃｈａｒｇｅ  Ｃｏｕｐｌｅｄ  Ｄｅｖｉｃｅ）やＣＭＯＳセンサ（Ｃｏｍｐｌｅｍｅｎｔａｒｙ  Ｍｅｔａｌ  Ｏｘｉｄｅ  Ｓｅｍｉｃｏｎｄｕｃｔｏｒ）等が用いられる。
【０００３】
近年、動画撮影中に静止画を撮影するという使われ方が広まってきている。１つの撮像素子を用いて、静止画像および動画像の撮影を行うことは可能であるが、両画像を同時に得たい場合、画素読み出し処理の違いや最適な撮影条件が異なるため、静止画像の撮影中は動画像を一時的に中断する必要があった。
【０００４】
それを解決するために、特許文献１により提案されているように、第１の撮像素子と第２の撮像素子をもち、ハーフミラーで被写体像を分割し、第１の撮像素子で静止画撮影、第２の撮像素子で動画撮影を行うという手法がある。
【０００５】
ここで、撮像素子は連続的な動作に伴い発熱するため、撮像素子が撮像装置内において発熱源となる。また近年では、撮像素子の高画素化や画像処理回路の高集積化、動画撮影の高機能化により消費電力が増加し、発熱が増加している。
【０００６】
さらに、撮像素子の温度上昇により暗電流ノイズが発生し、発生した暗電流ノイズにより撮影画像が劣化することが知られている。
【０００７】
この問題に対して、特許文献２では、第１の撮像素子と第２の撮像素子を持つ構成において、高画素な第１の撮像素子（高消費電力）と、低画素な第２の撮像素子（低消費電力）を設け、撮影する被写体により撮像素子を切り替えることで消費電力を抑制する構成が開示されている。
【先行技術文献】
【特許文献】
【０００８】
【特許文献１】特開２０１４−１２２９５７号公報
【特許文献２】特願２００５−１１４９３６号公報
【発明の概要】
【発明が解決しようとする課題】
【０００９】
しかしながら、上述の特許文献に開示された先行技術では、撮像素子以外の発熱源に対する言及がなされていない。すなわち、従来技術では撮像素子と他の発熱源が近接する場合において、他の発熱源の熱が撮像素子に伝わる事で、熱による画像劣化が発生しやすくなる可能性がある。
【００１０】
これらの対策として、撮像素子から発生する熱をファンなどにより、外部に熱を逃がすことで対策を行っているものがあるが、この放熱対策はコストアップや、カメラ大型化の要因になっている。
【課題を解決するための手段】
【００１１】
上記の課題を解決するために、本発明に係る撮像装置は、
撮像光学系により結像される被写体像を受け、電気的な画像信号に光電変換する撮像素子を有する第１の撮像手段（４）と、
撮像光学系により結像される被写体像を受け、電気的な画像信号に光電変換する撮像素子を有する第２の撮像手段（５）と、
画像データや各種情報を表示可能であり、前記第２の撮像手段（５）よりも前記第１の撮像手段（４）に近接した位置に配される第１の表示装置（１３）と、
撮影動作の開始を指示する静止画撮影指示手段（７１）と、
を備え、
前記静止画撮影指示手段（７１）により撮影動作が指示されると、前記第２の撮像手段（５）を用いて静止画の撮影を行い、前記第１の表示装置（１３）に前記第２の撮像手段（５）から取得したスルー画像を表示することを特徴とする。
【発明の効果】
【００１２】
本発明によれば、第１の撮像手段と第２の撮像手段を備えた撮像装置において、大型化することなく、撮像手段の温度上昇を抑制し、画像劣化を極力抑えて撮影可能な撮像装置を提供することができる。
【図面の簡単な説明】
【００１３】
【図１】本実施形態における撮像装置の主要部電気回路構成を示すブロック図
【図２】本実施形態における撮像装置の外観図
【図３】本実施形態における撮像装置の撮影光軸での断面図
【図４】本実施形態における静止画撮影モードでの静止画撮影時の動作フローチャート
【図５】本実施形態における静止画撮影モードの変形例での静止画撮影時の動作フローチャート
【図６】本実施形態における動画撮影モードでの動画撮影時の動作フローチャート
【図７】本実施形態における動画撮影モードの変形例での動画撮影時の動作フローチャート
【図８（ａ）】本実施形態の変形例における撮像装置の外観図
【図８（ｂ）】本実施形態の変形例における撮像装置の外観図
【図８（ｃ）】本実施形態の変形例における撮像装置の外観図
【図８（ｄ）】本実施形態の変形例における撮像装置の外観図
【発明を実施するための形態】
【００１４】
以下に、本発明の好ましい実施形態を、添付の図面に基づいて詳細に説明する。また、各図面において共通する部分には同一の符号を付す。
【００１５】
図１は本実施形態における撮像装置の主要部電気回路構成を示すブロック図である。また、図２は本実施形態における撮像装置の外観図であり、図２（ａ）はカメラ１の前面斜視図であり、図２（ｂ）はカメラ１の背面斜視図である。
【００１６】
カメラ１には着脱可能なレンズユニット２が取り付けられており、レンズユニット内にはフォーカスレンズ３０、フォーカスレンズ３０を駆動するためのレンズ駆動回路３１を有する。
【００１７】
ミラー３は半透過ミラーであり、カメラ回路制御マイコン１５からの命令により、ミラー駆動回路１７が駆動し、不図示のミラー駆動機構を介して回動され、ダウン状態（図３（ａ））とアップ状態（図３（ｂ））をとりうる。ミラー駆動機構は、例えばステッピングモーター、ギア列およびカム部材などで構成される。
【００１８】
第１撮像手段４と第２撮像手段５は例えばＣＣＤ、ＣＭＯＳ等で構成される。
【００１９】
第１撮像手段４には第１焦点検出センサ２２、第２撮像手段５には第２焦点検出センサ２４が内蔵されており、第１焦点検出センサ２２、第２焦点検出センサ２４は位相差方式の焦点検出を行う。なお、焦点検出の方式は位相差方式に限定されず、撮影像の明暗差が大きな箇所を探って焦点検出を行うコントラスト方式としてもよい。
【００２０】
第１焦点検出センサ２２、第２焦点検出センサ２４から出力される信号は、それぞれ第１焦点駆動回路２３、第２焦点駆動回路２５に供給され、被写体像信号に換算された後、カメラ回路制御マイコン１５に送信される。そして、カメラ回路制御マイコン１５は、被写体像信号に基づいて位相差検出法による焦点検出演算を行う。具体的には、カメラ回路制御マイコン１５は、被写体像信号を用いてデフォーカス量および方向を算出し、それに従いレンズ制御回路１９およびレンズ駆動回路３１を介してレンズユニット２内のフォーカスレンズ３０を合焦位置に駆動させる。
【００２１】
第１撮像手段４は第１撮像手段駆動／制御回路６により駆動／制御され、第１撮像手段４から出力されたアナログ信号は第１Ａ／Ｄ変換回路７によりデジタル信号に変換される。また、第２撮像手段５は第２撮像手段駆動／制御回路８により駆動／制御され、第２撮像手段５から出力されたアナログ信号は第２Ａ／Ｄ変換回路９によりデジタル信号に変換される。
【００２２】
第１Ａ／Ｄ変換回路７および、第２Ａ／Ｄ変換回路９から出力されたデジタル信号は画像処理回路１０で処理を行い、画像データとして生成される。この画像データはバッファメモリ１１へ保存されたり、表示部材駆動回路１２により液晶等で構成された背面表示装置１３およびファインダー内表示装置５０に表示される。また背面表示装置１３およびファインダー内表示装置５０には、撮影モードやレンズの絞り値、シャッタスピード値、ＩＳＯ感度などの各種情報を表示することができる。なお、背面表示装置１３が請求項記載の第１の表示装置、ファインダー内表示装置５０が請求項記載の第２の表示装置に相当する。
【００２３】
接眼レンズ５１はファインダー内表示装置５０に表示される画像データや各種情報を拡大して観察することができる。
【００２４】
接眼検出部５２は撮影者がファインダー内表示装置５０を覗いていることを検出するためのセンサであり、赤外発光装置及びその反射光の受光装置で構成されている。接眼検出部５２の検出状態はデジタル回路制御マイコン１４に通知され、接眼検出部５２の検出状態に応じて背面表示装置１３およびファインダー内表示装置５０の表示状態を所定の状態に変更するよう指示される。なお、デジタル回路制御マイコン１４が請求項記載の表示装置判定部に相当する。
【００２５】
また、本実施形態のカメラ１は、デジタル回路制御マイコン１４、カメラ回路制御マイコン１５を有する。デジタル回路制御マイコン１４はＣＰＵバスを介して画像処理回路１０、および表示部材駆動回路１２と通信、データの授受を行い、これらを統括的に制御している。
【００２６】
カメラ回路制御マイコン１５は、スイッチや釦などの状態の検知や、ミラー３の駆動を行うミラー駆動回路１７の各種演算処理を統括的に行う。また、カメラ回路制御マイコン１５内にはＥＥＰＲＯＭ１８からなるカメラ内設定記憶手段を有し、カメラ１の各種設定値が記録されている。また、カメラ回路制御マイコン１５は、レンズユニット２内のレンズ制御回路１９と、マウント接点２０を介して通信を行っている。
【００２７】
マウント接点２０は、レンズユニット２が接続されるとカメラ回路制御マイコン１５へ信号を送信する機能も有する。レンズユニット２内のレンズ内メモリ２１には、レンズの固有情報が記録されており、レンズの焦点距離や画角、絞り量に関する情報等も含まれる。なお、デジタル回路制御マイコン１４とカメラ回路制御マイコン１５は互いに通信を行っており、協調してカメラ１全体の制御を行っている。
【００２８】
また、スイッチセンス回路１６は、各スイッチの操作状態に応じて入力信号をカメラ回路制御マイコン１５に送信する。カメラ１には撮影モード設定ダイヤル７０、静止画撮影ボタン７１、動画撮影ボタン７２が配置されており、スイッチセンス回路１６に接続されている。撮影モード設定ダイヤル７０は、カメラ１の各種の撮影モードを設定することができるダイヤルである。なお、静止画撮影ボタン７１が請求項記載の静止画撮影手段であり、動画撮影ボタン７２が請求項記載の動画撮影指示手段に相当する。
【００２９】
図３は本実施形態におけるカメラ１の撮像光軸での断面図であり、前述のミラー３のダウン状態（図３（ａ））とアップ状態（図３（ｂ））をそれぞれ示している。
【００３０】
ミラー３がダウン状態においては、ミラー３によって反射した光束が第２撮像手段５側に、透過した光束が第１撮像手段４側に分割されるように配される。アップ状態においては、ミラー３は上方に退避して第１撮像手段４のみへと光束が導かれる。ここで、背面表示装置１３は図２にも示されているように撮像装置の背面に備えられており、第１撮像手段４と近接した位置に配されている。また、ファインダー内表示装置５０は第２撮像手段５と近接した位置に配されている。
【００３１】
［静止画撮影モード］
以下、図４〜図５を参照して本実施形態における静止画撮影モードついて説明する。
【００３２】
図４は撮影モード設定ダイヤル７０で静止画撮影モードが選択された際の動作フローチャートである。
【００３３】
本モードに入るとＳ１００で接眼検出部５２により撮影者がファインダー内表示装置５０を覗いているかを判定し、覗いていると判定された場合はＳ１０１へ進む。覗いていないと判断された場合はＳ１１１へ進む。
【００３４】
Ｓ１０１ではミラー３がダウン状態（図３（ａ）の状態）となってＳ１０２へ進み、第２撮像手段５によりスルー画が取得されてＳ１０３へ進み、スルー画がファインダー内表示装置５０に表示される。この際には消費電力を小さくするために、背面表示装置１３は消灯するのが望ましい。その後Ｓ１０４で静止画撮影を行う静止画撮影ボタン７１が押下されたかを判定し、押下されたと判定された場合にはＳ１０５へ進み、ミラー３がアップ状態（図３（ｂ）の状態）となって、Ｓ１０６へ進み、第１撮像手段４により静止画撮影が行われる。押下されていないと判断された場合はＳ１００へ戻る。
【００３５】
Ｓ１１１ではミラー３がアップ状態（図３（ｂ）の状態）となってＳ１１２へ進み、第１撮像手段４によりスルー画が取得されてＳ１１３へ進み、スルー画が背面表示装置１３に表示される。この際には消費電力を小さくするために、ファインダー内表示装置５０は消灯するのが望ましい。なお、被写体の光量落ちを防ぐためには本実施形態のようにミラー３をアップ状態とするのが望ましいが、ミラーダウン状態で第１撮像手段４によるスルー画像取得を行っても構わない。その後Ｓ１１４で静止画撮影を行う静止画撮影ボタン７１が押下されたかを判定し、押下されたと判定された場合にはＳ１１５へ進み、ミラー３がダウン状態（図３（ａ）の状態）となってＳ１１６へ進み、第２撮像手段５により静止画撮影が行われる。押下されていないと判断された場合はＳ１００へ戻る。
【００３６】
以上のように、本実施形態では静止画撮影モードに入った際の静止画撮影待機状態において、スルー画を表示する装置から近い方の撮像手段を用いてスルー画を取得する。そして、スルー画表示に用いていない撮像手段により、静止画撮影を行う。
【００３７】
そのため、静止画撮影をする方の撮像手段はスルー画表示のために駆動していないため、撮像手段自体の発熱を抑えられると共に、スルー画を表示する装置からも遠い撮像手段で撮像を行うため、間接的に撮像手段の温度が上昇するのを抑制できる。その結果、熱によるノイズの少ない高画質な静止画を撮影可能となる。
【００３８】
また、本実施形態においては、スルー画の表示装置から近い撮像手段により、スルー画取得を行ったが、これに限定されない。すなわち、スルー画の表示装置から遠い撮像手段でスルー画を取得し、スルー画の表示装置から近い撮像手段（スルー画取得に用いていない撮像手段）で静止画撮影を行ってもよい。
【００３９】
つまり、例えば表示装置と撮像手段との距離が離れており、表示装置からの熱が撮像手段に伝わる構成でなければ、スルー画を取得する撮像手段は限定せず、スルー画取得を行っていない撮像手段で静止画撮影するようにしてもよい。
【００４０】
これにより、スルー画を取得する撮像手段が限定されないため、温度のより低い方の撮像手段で静止画を撮影するように、スルー画取得の撮像手段を選択するなど、撮影の自由度が広がる。
【００４１】
本実施形態においては、表示装置としてファインダー内表示装置５０と背面表示装置１３の二つを備えているが、これに限定されない。すなわち、例えばファインダー内表示装置５０および接眼検出部５２を備えず、背面表示装置１３を備えたカメラの場合には、図５のような動作フローとすればよい。これは図４中のＳ１００の判定がなくなり、ミラーアップ側に進んだのと同様であるため、説明は省略する。
【００４２】
なお、常に本動作は行わず、第１撮像手段及び第２撮像手段の温度を測定する温度測定手段を設け、第１撮像手段及び、第２撮像手段の温度が閾値以上の時だけスルー画表示に用いていない撮像手段により、静止画撮影を行ってもよい。
【００４３】
［動画撮影モード］
以下、図６〜図７を参照して本実施形態の動画撮影モードについて説明する。
【００４４】
図６は撮影モード設定ダイヤル７０で動画撮影モードが選択された際の動作フローチャートである。
【００４５】
本モードに入るとＳ３００で接眼検出部５２により撮影者がファインダー内表示装置５０を覗いているかを判定し、覗いていると判定された場合はＳ３０１へ進む。覗いていないと判定された場合はＳ３１１へ進む。
【００４６】
Ｓ３０１ではミラー３がダウン状態（図３（ａ）の状態）となってＳ３０２へ進み、第２撮像手段５によりスルー画像が取得されてＳ３０３へ進み、スルー画像がファインダー内表示装置５０に表示される。この際には消費電力を小さくするために、背面表示装置１３は消灯するのが望ましい。その後Ｓ３０４で動画撮影の開始を行う動画撮影ボタン７２が押下されたか判定し、押下されたと判定された場合にＳ３０５へ進み、ミラー３がアップ状態（図３（ｂ）の状態）となってＳ３０６へ進み、第１撮像手段４により動画撮影が開始されてＳ３２０へ進む。なお、被写体の光量落ちを防ぐためには本実施形態のようにミラー３をアップ状態とするのが望ましいが、ミラーダウン状態のままで第１撮像手段４による動画撮影を行っても構わない。Ｓ３０４で動画撮影ボタン７２が押下されていないと判定された場合はＳ３００へ戻る。
【００４７】
Ｓ３１１ではミラー３がアップ状態（図３（ｂ）の状態）となってＳ３１２へ進み、第１撮像手段４によりスルー画像が取得されてＳ３１３へ進み、スルー画像が背面表示装置１３に表示される。この際には消費電力を小さくするために、ファインダー内表示装置５０は消灯するのが望ましい。なお、被写体の光量落ちを防ぐためには本実施形態のようにミラー３をアップ状態とするのが望ましいが、ミラーダウン状態で第１撮像手段４によるスルー画像取得を行っても構わない。その後Ｓ３１４で動画撮影の開始を行う動画撮影ボタン７２が押下されたか判定し、押下されたと判定された場合にＳ３１５へ進み、ミラー３がダウン状態（図３（ａ）の状態）となってＳ３１６へ進み、第２撮像手段５により動画撮影が開始されてＳ３２０へ進む。押下されていないと判定された場合はＳ３００へ戻る。
【００４８】
Ｓ３２０で接眼検出部５２により撮影者がファインダー内表示装置５０を覗いているかを判定し、覗いていると判定された場合はＳ３２１へ進む。覗いていないと判定された場合はＳ３２２へ進む。Ｓ３２１に進んだ場合は撮影中の動画をファインダー内表示装置５０に表示してＳ３２３へ進み、Ｓ３２２に進んだ場合は撮影中の動画を背面表示装置１３に表示してＳ３２３へ進む。この際には消費電力を小さくするために、撮影中の動画を表示していない方の表示装置は消灯するのが望ましい。
【００４９】
Ｓ３２３では動画撮影の終了を行う動画撮影ボタン７２が再び押下されたかを判定し、押下されたと判定された場合には動画撮影を終了する。押下されていないと判定された場合にはＳ３２０へ戻る。
【００５０】
本モードにおける動画撮影待機時においては、スルー画像を表示すると判定された表示装置に近接する方の撮像手段を用いてスルー画像を取得する。そして、スルー画表示に用いていない撮像手段により、動画撮影を行う。これにより、動画撮影待機時と動画撮影時で駆動する撮像手段が変更されるため、動画撮影時に使用する撮像手段の温度が比較的低温の状態で動画撮影が開始される。そのため、熱によるノイズの少ない、高画質な動画を撮影可能となる。
【００５１】
また、一般的にスルー画像取得時よりも動画撮影時の方が撮像手段の発熱量は大きい。よって本モードでは、動画撮影開始段階でスルー画像を表示している表示装置からより離れた方の撮像手段を動画撮影に用いることで、動画撮影時に熱源となる表示装置と撮像手段が離れた場所で駆動するためにカメラ１内部の熱源が分散する。そのためカメラ１の外装温度が極部的に熱くならないので、従来構成に比べ温度上昇に伴う撮影者の不快感への対策のために撮影を途中で停止するまでの時間を長くとることが可能になる。
【００５２】
本実施形態においては、表示装置としてファインダー内表示装置５０と背面表示装置１３の二つを備えているが、これに限定されない。すなわち、例えばファインダー内表示装置５０および接眼検出部５２を備えず、背面表示装置１３を備えたカメラの場合には、図７のような動作フローとすればよい。これは図６中のＳ３００およびＳ３２０の判定がなくなり、ミラーアップ側に進んだものと同様であるため、説明は省略する。
【００５３】
なお、常に本動作は行わず、第１撮像手段及び第２撮像手段の温度を測定する温度測定手段を設け、第１撮像手段及び、第２撮像手段の温度が閾値以上の時だけスルー画表示に用いていない撮像手段により、動画撮影を行ってもよい。
【００５４】
こうする事によって、スルー画取得の撮像手段と、本撮影の撮像手段を切り替える必要がないため、ミラーアップ／ミラーダウンのタイムラグが不要となり、スルー画撮影と同じ画像を撮影画像として得ることが可能となる。
【００５５】
本実施形態においては、撮影者がファインダー内表示装置５０または背面表示装置１３のどちらを使用しているかの判定を接眼検出部５２によって行ったが、これに限定されない。すなわち、例えばカメラが背面表示装置近傍にヒンジ部を備え、背面表示装置が可動式である場合には背面表示装置の位置の状態によって判定してもよい。
【００５６】
図８に、背面表示装置１３が可動式である変形例でのカメラ１の背面斜視図を示す。
【００５７】
背面表示装置１３は、ヒンジ部４３内部に配置される不図示のヒンジユニットによって開閉軸４５を中心に左右開閉方向、回転軸４６を中心に上下回転方向の２軸で回動可能に背面カバー４０に支持されている。収納面４４は、背面表示装置１３が収納時において対向する面であり、背面表示装置１３が開いた状態においては背面カバー４０に設けられた凹形状の底面となっている。
【００５８】
図８（ａ）の状態において背面表示装置１３は表示面が収納面４４と対向する形で収納されている。この状態では不図示の閉じセンサにより本状態が検知され、背面表示装置１３の表示は消灯する。なお、閉じセンサが請求項記載の回動検出部に相当する。ここから開閉軸４５を中心に可動式表示装置４０を開いていくと所定の角度で不図示の閉じセンサが検知しなくなり、背面表示装置１３の表示が点灯状態となる。開閉軸４５を中心に可動式表示装置４０を開ききった状態が図８（ｂ）である。図８（ｂ）の状態から回転軸４６を中心に背面表示装置１３を回転させると、図８（ｃ）のように背面表示装置１３は１８０°回転しきった状態となる。図８（ｃ）の状態から開閉軸４５を中心に背面表示装置１３を閉じていくと、図８（ｄ）のように背面表示装置１３はその表示面が撮影者に見える形で背面カバー４０の凹部に収納された状態となる。
【００５９】
これらのような位置状態を背面表示装置１３が取りうる場合においては、例えば図８（ａ）の状態であることを不図示の閉じセンサが検知した際に、撮影者はファインダー内表示装置５０を使用していると判定してもよい。
【００６０】
こうする事によって、撮影者がファインダー内表示装置５０または背面表示装置１３のどちらを使用しているかの判定を、接眼検出部５２だけではなく、ヒンジ部を用いても可能となる。
【００６１】
以上、本発明の好ましい実施形態について説明したが、本発明はこれらの実施形態に限定されず、その要旨の範囲内で種々の変形および変更が可能である。
【符号の説明】
【００６２】
１  カメラ、４  第１撮像手段、５  第２撮像手段、１３  背面表示装置、
５０  ファインダー内表示装置、７１  静止画撮影ボタン、
７２  動画撮影ボタン
【図１】
2019041236.tif 000003
【図２】
2019041236.tif 000004
【図３】
2019041236.tif 000005
【図４】
2019041236.tif 000006
【図５】
2019041236.tif 000007
【図６】
2019041236.tif 000008
【図７】
2019041236.tif 000009
【図８（ａ）】
2019041236.tif 000010
【図８（ｂ）】
2019041236.tif 000011
【図８（ｃ）】
2019041236.tif 000012
【図８（ｄ）】
2019041236.tif 000013